(57)【特許請求の範囲】
【請求項１】
下面材の周縁凹部に側壁となる枠スペーサを立設し、この枠スペーサの上部に上面材を被せるようにした梱包体であって、
前記下面材と上面材を樹脂製の同一形状とし、１段目の梱包体の上面材の周縁凹部に２段目の枠スペーサを立設してその上部に２段目の上面材を被せ、この操作を繰り返すことにより、複数段の梱包体が積層され、
前記枠スペーサは同一形状の分割体に二分割されるとともに各分割体の端部は互いに当接可能に折り曲げられ、
前記枠スペーサの内部には、中スペーサが設けられ、
前記下面材の前記中スペーサが配設される位置には補強リブが設けられ、
前記下面材の上部には分割可能なクッション材が設けられ、この分割可能なクッション材には内部に収容される物品の底面形状に相当する凹部と前記中スペーサの下端突出部を挿入するためのスリット部が設けられ、
前記上面材の下部には下面材の内部に収容される物品の跳ね上げを防止するための押えクッションが設けられていることを特徴とする梱包体。
【発明の詳細な説明】
【０００１】
【発明の属する技術分野】
本発明は、例えば車両用トラスミッション等の物品を収容して繰り返し搬送するための梱包体に関する。
【０００２】
【従来の技術】
従来、例えば車両用トランスミッション等の物品を容器に収容して搬送した後、容器を折り畳んで持ち帰るようにしたリターナブルケースとして、例えば鋼材等のフレーム枠を組立自在にしたようなケースが知られている。
また、フレーム枠を使用しないで組立自在にした容器として、例えば実公平３−２６１２１号や実公平７−３８２１９号等の技術が知られており、これら技術では、パレットの周縁部にスリーブまたはパネルを立設して底面と周囲側面を囲い、上面を上パレットまたは蓋部材で覆うことにより容器を組立てるようにし、持ち帰る際は、スリーブを折り畳んでパレットや蓋部材と一緒にベルト等で結束して持ち帰るようにしている。
【０００３】
【発明が解決しようとする課題】
ところが、鋼材等のフレーム枠を使用するような技術は、複数のケースを上下に積重ねることが可能で、多数の物品を同時に搬送出来るという利点を有する反面、分解時の部品点数が多くなり、また、重量の増加を招き易くなるという問題がある。
また、後者のような実公平３−２６１２１号や実公平７−３８２１９号等では、複数の容器を段積み状態に積重ねるのが困難であり、例えばコンテナ等の内部空間を最大限に活用して、多量の物品を同時に搬送するのには適していないという問題がある。
【０００４】
そこで本発明は、例えばコンテナ等の内部空間を最大限に活用して、物品を効率的に搬送出来るようにするとともに、分解時にコンパクトに纏めることが出来るようにすることを目的とする。
【０００５】
【課題を解決するための手段】
上記目的を達成するため本発明は、下面材の周縁凹部に側壁となる枠スペーサを立設し、この枠スペーサの上部に上面材を被せるようにした梱包体において、前記下面材と上面材を同一形状とし、１段目の梱包体の上面材の周縁凹部に２段目の枠スペーサを立設してその上部に２段目の上面材を被せ、この操作を繰り返すことにより、複数段の梱包体を積層し得るようにした。
【０００６】
このように複数段の梱包体を積層出来るようにして、同時に多量の物品を搬送出来るようにするが、この際、上面材と下面材の形状を同一にすることにより、積層時に一方側だけで両者の機能を兼ねさせることが可能となり、部品点数の削減が図られる。
また積層時の高さを極力抑えることが出来る。
ここで、下面材や上面材や枠スペーサ等の材質は、収容する物品の重量やサイズや積層数等を勘案して、段積みに必要な強度が得られ且つ軽量で耐久性のある素材から選定することが好ましいが、物品が車両用トランスミッションであるような場合、下面材や上面材を樹脂製とし、枠スペーサを積層段ボール紙等にすることが出来る。
【０００７】
また本発明では、前記枠スペーサとして、同一形状の分割体に二分割するようにした。
そして二分割した分割体を組合せて枠スペーサを形成するようにする。そしてこのように二分割することにより、折り畳み時に自由度が増してコンパクトに纏めることが出来、しかも下面材等との間に若干の精度誤差があっても誤差を吸収して組み付け出来るようになる。また、分割体を同一形状にすることで、容易に作製出来るようになる。
【０００８】
また本発明では、枠スペーサの内部に中スペーサを配設し、この中スペーサが配設される位置に対応する下面材に、補強リブを設けるようにした。
このように、枠スペーサの内部に中スペーサを配設することにより、上からかかる荷重を枠スペーサと中スペーサに分散するようにし、また、中スペーサの位置に対応する下面材に補強リブを設けることで、下面材の厚み等を薄くしても荷重を有効に支えることが出来るようになる。
【０００９】
また本発明では、下面材の上部に、内部に収容される物品を保持するためのクッション材を敷くようにし、このクッション材には、中スペーサの下端突出部を挿入せしめることの出来るスリット部を設けるようにした。
【００１０】
このように、下面材の上部に物品を保持するクッション材を配設するとともに、このクッション材に設けたスリット部に中スペーサの下端突出部を挿入するようにすれば、クッション材の位置ずれを防止することが出来、物品を定位置に保持することが出来る。
【００１１】
【発明の実施の形態】
本発明の実施の形態について添付した図面に基づき説明する。
ここで図１は本発明に係る梱包体の基本ユニットの分解斜視図、図２はパレットの平面図、図３は図２のＡ−Ａ線断面図、図４はクッション材を現し、（ａ）は表面側の平面図、（ｂ）は同裏面図、図５は枠スペーサの展開図、図６は中スペーサの説明図、図７はパレットの裏側に貼着される押えクッション材の説明図、図８は梱包体の基本ユニットの組立状態を示す内部透視図、図９は梱包体に収容される物品の平面図、図１０は基本ユニットを段積み状態にした梱包体の内部透視図、図１１は梱包体を折り畳んだ状態の説明図である。
【００１２】
本発明に係る梱包体は、例えば車両用トランスミッションのような物品を容器内に収容してコンテナ等で搬送した後、容器を折り畳んで持ちかえるようなリターナブルケースにおいて、段積み状態に積重ねて、コンテナ等の内部空間を最大限に活用して効率的に搬送出来るようにされ、また、分解時にコンパクトに纏めることが出来るようにされている。
【００１３】
すなわち、本梱包体１の基本ユニットは、図１に示すように、下面材としての下方のパレット２と、このパレット２の上面に敷かれるクッション材３と、パレット２の周縁凹部ｅに立設される枠スペーサ４と、この枠スペーサ４内にはめ込まれる中スペーサ５と、枠スペーサ４及び中スペーサ５の上部に被せられる上方のパレット２を備えており、下方のパレット２と上方のパレット２は同一形状にされている。
そして上方のパレット２の上面には、２段目のクッション材３や枠スペーサ４、中スペーサ５や、その上に被せられるパレット２からなる梱包体の２段目の基本ユニットが積層可能とされ、更にその上部には、３段目、４段目の基本ユニットが積層可能にされている。
【００１４】
前記パレット２は、例えば硬質樹脂素材等から肉厚ほぼ一定の凹凸面形状を有する形態で成形され、図２、図３にも示すように、長手方向に沿った両側の両端帯状部分ａと中間の中間帯状部分ｂを除くそれ以外の領域が一段上方に突出した形態にされるとともに、この上方に突出する領域のうち、更にその一部が局部的に上方に突出するような複雑凹凸形状にされている。そして、両端帯状部分ａと中間帯状部分ｂに沿った下面に３本の足材６（図１）が木ネジ等で固定され、フォークリフト等のフォークを挿し込むことが出来るようにしている。
そしてこのパレット２の周縁端部は立上り部として上方に立上がって皿状の形状にされ、この立上り部の内側が周縁凹部ｅとされている。
【００１５】
そしてこの周縁凹部ｅには、局所的にスリット穴ｑや補強用のリブｒが設けられ、スリット穴ｑには、後述するように、上方のパレット２として使用する場合に、枠スペーサ４の上端突起部ｐが挿入されるようになっている。
また、足材６が取り付けられる中間帯状部分ｂにも、一対の補強用のリブｒが突設されている。
【００１６】
前記クッション材３は、パレット２の長手方向に沿って３分割される発泡樹脂製等の同一形状の分割体３ｃを組合せることにより構成され、この分割体３ｃの表面には、図４（ａ）に示すように、物品Ｗの底面形状に概略一致する一対の凹部ｄが形成されており、裏面側には、パレット２の凹凸形状を反転させた形態の凹凸が形成されている。そして、各分割体３ｃの両側端部には、分割体３ｃ同士を組合せるための嵌合凹凸部が形成されている。
ここで、クッション材３の構成要素となる発泡樹脂としては、例えば、ポリスチレン系樹脂発泡体、ポリエチレン系樹脂発泡体、ポリプロピレン系樹脂発泡体、ポリエステル系樹脂発泡体があげられ、発泡倍率としては、５〜３０倍程度のものが好適に用いられる。
【００１７】
そして、３枚の分割体３ｃをクッション材３に組合せ、クッション材３の裏面側の凹凸部をパレット２表面の凹凸部に嵌合させながら位置決め状態で載置し、クッション材３の表面側の凹部ｄに物品を載置することにより、クッション材３の上面に合計６つの物品を載置せしめることが出来るようにしている。
また、各分割体３ｃの中央部には、後述する中スペーサ５の下端突出部ｘを挿入せしめることの出来るスリット孔ｓやスリット溝ｍが設けられている。
【００１８】
前記枠スペーサ４と中スペーサ５は、例えば積層段ボール紙等から構成され、枠スペーサ４は、一対の分割体４ｃから構成されている。
そして枠スペーサ４の分割体４ｃは、図５に示すように、組立てる際の折曲げ線ｇと、折り畳む際の折曲げ線ｈが形成されるとともに、上端部に複数の突起部ｐとスリット溝ｉが形成されており、突起部ｐが上方のパレット２のスリット穴ｑ内に挿入可能にされ、またスリット溝ｉに中スペーサ５の係止突起片ｋが挿入可能にされている。
【００１９】
そして、分割体４ｃの折曲げ線ｇの部分を折り曲げた後、図１に示すような状態で、端部同士を突き合わせ、パレット２の周縁凹部ｅに立設することにより、周囲が囲まれる側壁を形成するようにしている。
【００２０】
また、図６に示す中スペーサ５の下端部には、複数の下端突出部ｘが設けられており、この下端突出部ｘは、前記クッション材３のスリット孔ｓやスリット溝ｍに挿入可能とされ、また、上端部には、上方パレット２の中間帯状部分ｂのリブｒの裏側凹部に挿入可能な上端突出部ｙが形成されている。
そして、下端突出部ｘをクッション材３のスリット孔ｓやスリット溝ｍに挿し込むことにより、クッション材３の位置ずれを防止出来るようにされている。
【００２１】
上方のパレット２の裏側には、図７に示すように、物品Ｗの搭載箇所に対応して、複数の押えクッション材７が設けられ、各物品Ｗが上方に跳ね上がるのを防止出来るようにされている。
【００２２】
以上のような梱包体１において、図８に示すように、足材６のついた下方のパレット２上にクッション材３を敷き、クッション材３表面側の凹部ｄに物品Ｗを載置するとともに、パレット２の周縁凹部ｅに枠スペーサ４を立設し、中間部に中スペーサ５を挿入した後、上方のパレット２を被せ、周縁のスリット穴ｑに枠スペーサ４の上端突起部ｐを挿し込む。
因みに、この時の物品Ｗの平面図は、図９の通りである。
【００２３】
１段目の梱包体１の基本ユニットの組付が完了すると、図１０に示すように、上部のパレット２の上面にクッション材３を敷いて物品Ｗを載置するとともに、パレット２の周縁凹部ｅに２段目の枠スペーサ４を立設して、内部に中スペーサ５を配設し、その上に２段目の上方パレット２を被せる。
そして同様な操作を繰り返して、３段目、４段目と組み付けてゆくが、本実施例では、４段目の下方のパレット２として、足材６付きのパレット２を使用するようにしている。
【００２４】
これは、コンテナに搭載する際にフォークリフトによる作業性を容易にするためであり、本実施例では、下３段を積み上げてコンテナに搭載した後、後から上２段をその上部に積重ねるようにしているため、フォークリフトが持ち上げ可能な足材６付きのパレット２が４段目に位置しているものである。
【００２５】
そしてこのような形態で積重ねられた梱包体１は、上方の荷重が枠スペーサ４や中スペーサ５を通して下方のパレット２に伝達されるが、枠スペーサ４が載置されるパレット２の周縁凹部ｅや、中スペーサ５が載置される中間帯状部分ｂには補強用のリブｒが突設されており、上からかかる荷重を有効に支えることが出来る。
【００２６】
また、クッション材３のスリット孔ｓやスリット溝ｍに中スペーサ５の下端突出部ｘが挿入されているため、クッション材３が位置ずれを起こすような不具合がなく、物品Ｗを常に定位置に保持することが出来る。
また、上方のパレット２は、下面材と上面材を兼ねた形態であるため、部品点数の削減が図られるとともに、高さを極力抑えることが出来る。
【００２７】
次に、物品Ｗの搬送が終了して梱包体１を折り畳む際は、枠スペーサ４と中スペーサ５を取外した後、枠スペーサ４については折曲げ線ｈで折曲げ、これらを図１１に示すように一まとめに積層すれば、コンパクトな荷姿となる。
【００２８】
尚、本発明は以上のような実施形態に限定されるものではない。本発明の特許請求の範囲に記載した事項と実質的に同一の構成を有し、同一の作用効果を奏するものは本発明の技術的範囲に属する。
例えば物品Ｗの種類等は任意であり、また積重ねる途中のパレット２をすべて足材６のないパレット２にすることも可能である。
【００２９】
【発明の効果】
以上のように本発明に係る梱包体は、下面材と上面材を同一形状とし、１段目の梱包体の上面材の周縁凹部に２段目の枠スペーサを立設してその上部に２段目の上面材を被せ、この操作を繰り返すことにより、複数段の梱包体を積層し得るようにしたため、部品点数の削減が図られるとともに、積層時の高さを極力抑えることが出来る。
また、枠スペーサを同一形状の分割体に二分割すれば、下面材等との間に若干の精度誤差があっても誤差を吸収して組み付け出来るようになり、また、簡単に作製することが出来る。
そして、枠スペーサの内部に中スペーサを配設し、この中スペーサが配設される位置に対応する下面材に、補強リブを設ければ、荷重が分散されるとともに、補強リブによって荷重を有効に支えることが出来る。
また、下面材の上部にクッション材を敷くようにし、このクッション材に設けたスリット部に中スペーサの下端突出部を挿入せしめるようにすれば、物品が保護されるとともに、クッション材の位置ずれを防止することが出来る。
【図面の簡単な説明】
【図１】本発明に係る梱包体の基本ユニットの分解斜視図
【図２】パレットの平面図
【図３】図２のＡ−Ａ線断面図
【図４】クッション材の説明図で、（ａ）は表面側の平面図、（ｂ）は同裏面図
【図５】枠スペーサの展開図
【図６】中スペーサの説明図
【図７】パレットの裏側に貼着される押えクッション材の説明図
【図８】梱包体の基本ユニットの組立状態を示す内部透視図
【図９】梱包体の基本ユニットに収容される物品の平面図
【図１０】基本ユニットを段積み状態にした梱包体の内部透視図
【図１１】梱包体を折り畳んだ状態の説明図
【符号の説明】
１…梱包体、２…パレット、３…クッション材、４…枠スペーサ、４ｃ…分割体、５…中スペーサ、６…足材、ｅ…周縁凹部、ｓ…スリット孔、ｍ…スリット溝、ｒ…リブ、ｘ…下端突出部。
【図１】
0003957488.tif 000002
【図２】
0003957488.tif 000003
【図３】
0003957488.tif 000004
【図４】
0003957488.tif 000005
【図５】
0003957488.tif 000006
【図６】
0003957488.tif 000007
【図７】
0003957488.tif 000008
【図８】
0003957488.tif 000009
【図９】
0003957488.tif 000010
【図１０】
0003957488.tif 000011
【図１１】
0003957488.tif 000012